(57)【要約】【課題】投げ釣りに好適な遠方の魚群や水温などの情報をロッドに固定した装置にて簡単且つ安価に取得する、魚群探知システムを得る。【解決手段】魚群探知を行う第一の超音波送受波手段と、水温検出を行う温度検出手段と、ラインを伝送路として情報通信を行う第二の超音波送受波手段と、前記各手段の制御を行う制御手段と、前記各手段を駆動する電源供給手段とをおもりの胴部に内蔵して構成した探知機能付おもりと、これに結ばれたラインを伝送路として情報通信を行う超音波送受波手段と、該超音波送受波手段より取得した情報の解析と結果のモニタ表示などの制御を行う制御手段と、前記各手段を駆動する電源供給手段とを内蔵して構成した情報表示装置をロッドの手元に固定し、前記ラインを挟持して情報表示装置内の超音波送受波手段と超音波伝送を行わせるラインホルダを当該情報表示装置の近傍に固定して構成したシステムとする。【選択図】図１
2016099335.tif 000002
【特許請求の範囲】
【請求項１】
魚群探知を行うための第一の超音波送受波手段と、水温検出を行うための温度検出手段と、ラインを伝送路として情報通信を行うための第二の超音波送受波手段と、前記各手段の制御を行うための制御手段と、前記各手段を駆動するための電源供給手段とをおもりの胴部に内蔵して構成した探知機能付おもりと、
前記探知機能付おもりと結ばれたラインを伝送路として情報通信を行うための超音波送受波手段と、該超音波送受波手段より取得した情報の解析と結果のモニタ表示などの制御を行うための制御手段と、前記各手段を駆動するための電源供給手段とを内蔵して構成した情報表示装置をロッドの手元に固定し、
前記ラインを挟持して情報表示装置内の超音波送受波手段と超音波伝送を行わせるためのラインホルダを当該情報表示装置の近傍に固定して構成したことを特徴とする、魚群探知システム。
【請求項２】
探知機能付おもりに内蔵の電源供給手段は、電磁誘導を利用した非接触充電が可能な二次電池であることを特徴とする、請求項１に記載の魚群探知システム。
【発明の詳細な説明】
【技術分野】
【０００１】  本発明は海や湖沼で釣りを行う際において魚群の場所を探知するための魚群探知システムに関し、特に投げ釣りに好適な遠方の魚群や水温などの情報をロッドに固定した装置にて簡単且つ安価に取得することができる、魚群探知システムに関するものである。
【背景技術】
【０００２】  従来、海や湖沼で釣りを行う際には釣り人の経験や勘などに基づき漁場を選んで行っている。多くの釣果を得るためには、本格的には釣り船に魚群探知機を設置し、簡易的には魚群探知機能を内蔵した浮きやおもりを用いて魚群探知を行っている。また、魚は水温の変化により活動量も変化し、それに伴い餌への食いつき状態も変化するため、水温情報の取得も行われている。更には、魚群と仕掛けとの上下の位置関係、いわゆる棚も釣果を左右する重要な要素である。このため、棚情報の取得も行われている。【０００３】  上記に関する特許文献として、例えば特開平０８−１６０１３５号公報記載の発明の名称「魚群探知システム」では、仕掛けと魚群及び水底との相対位置関係と、仕掛け位置での水温を前記相対位置とともに測定表示する魚群探知システム、すなわち釣り船に設置した魚群探知機と仕掛けに内蔵した超音波送受ユニットにて魚群と棚及び水温などの情報を取得する装置及び方法について記載されている。また、公開実用昭和６４−４２４８７号公報記載の考案の名称「遠隔魚群探知装置」では、遠隔海面でも定点観測が行え、浅海部にあっても船又は岸から安全且つ容易に魚群探知が行える遠隔魚群探知装置、すなわち仕掛けのおもりに振動子を一体接続し当該おもりを遠方に放出して魚群探知を行う装置について記載されている。【０００４】
【特許文献１】特開平０８−１６０１３５号
【特許文献２】公開実用昭和６４−４２４８７号
【発明の開示】
【発明が解決しようとする課題】
【０００５】  上記特開平０８−１６０１３５号公報記載のものは、船底に設置した超音波送受波機と仕掛けのおもりに内蔵した超音波送受ユニットからの情報を船体に設置した魚群探知ユニットにて解析し、前記超音波送受波機より魚群と水底の深さ情報を取得して魚群探知ユニットに表示し、前記仕掛けのおもりに内蔵した超音波送受ユニットより仕掛けの位置や当該位置における水温情報を取得して魚群探知ユニットに表示するものである。【０００６】  しかしながら、上記魚群探知システムでは、船底に設置した超音波送受波機にて情報を取得するために船底周辺直下の魚群探知しかできず、投げ釣りなどに適した遠方の魚群探知が行えないという欠点があった。また、システムが複数の機器で構成されるため、システム全体の価格が高価となってしまうという欠点もあった。【０００７】  また、上記公開実用昭和６４−４２４８７号公報記載のものは、振動子と一体接続したおもりと、突堤などに設置した送受信表示装置とを浮力ケーブルで接続し、遠方におけるおもりが沈まないように前記浮力ケーブルを浮きで吊下げることにより、一定遠隔位置での水面下情報を取得して前記送受信表示装置に表示するものである。【０００８】  しかしながら、上記遠隔魚群探知装置では、単に一定遠隔位置での水面下情報、すなわち魚群探知を行うだけのものであり、魚群が探知できない場合には探知できるまで待たなければならないという欠点があった。また、仕掛けと送受信表示装置との接続がケーブルのため、海での投げ釣りのように数十メートルから百メートル程の遠方の情報は取得することができないという欠点もあった。【０００９】  本発明は上記の課題を解決するものであり、投げ釣りに好適な遠方の魚群や水温などの情報をロッドに固定した装置にて簡単且つ安価に取得することができる、魚群探知システムを提供することを目的とする。
【課題を解決するための手段】
【００１０】  上記課題を解決するため本発明の魚群探知システムは、魚群探知を行うための第一の超音波送受波手段と、水温検出を行うための温度検出手段と、ラインを伝送路として情報通信を行うための第二の超音波送受波手段と、前記各手段の制御を行うための制御手段と、前記各手段を駆動するための電源供給手段とをおもりの胴部に内蔵して構成した探知機能付おもりと、
前記探知機能付おもりと結ばれたラインを伝送路として情報通信を行うための超音波送受波手段と、該超音波送受波手段より取得した情報の解析と結果のモニタ表示などの制御を行うための制御手段と、前記各手段を駆動するための電源供給手段とを内蔵して構成した情報表示装置をロッドの手元に固定し、
前記ラインを挟持して情報表示装置内の超音波送受波手段と超音波伝送を行わせるためのラインホルダを当該情報表示装置の近傍に固定して構成したシステムとする。【００１１】  前記探知機能付おもりに内蔵の電源供給手段は、電磁誘導を利用した非接触充電が可能な二次電池とする。
【発明の効果】
【００１２】  本発明によれば、探知機能付おもりとロッドの手元に固定した情報表示装置間に結ばれたラインを超音波の伝送路として情報通信を行い、該情報表示装置に魚群や水温などの情報を表示するシステムのため、投げ釣りに好適な遠方の魚群や水温などの情報をロッドに固定した装置にて簡単且つ安価に取得することができるという絶大なる効果を奏する。
【発明を実施するための最良の形態】
【００１３】  本発明を実施するための最良の形態を図を用いて説明する。【００１４】  図１は本発明の魚群探知システムの使用状態を表した図である。本発明の魚群探知システムは投げ釣りに好適なシステムであり、該図において突堤９に立つ釣り人１０が数十メートルから百メートル程の遠方の海中８に仕掛けを放出して釣りを行う状態を示している。海中８に放出された仕掛けの探知機能付おもり１には、後述の魚群探知機能や水温検出機能が内蔵されており、着水から海中８に沈む間における当該探知機能付おもり１の半径ｒで示される円周面周辺の魚群情報や水温情報をライン７を伝送路として釣り人１０が持つロッド１１の手元に固定した情報表示装置２８に伝送する。該情報表示装置２８は取得した情報を解析処理し、魚群情報や水温情報及び棚情報をモニタ表示する。また、該情報表示装置２８より前記探知機能付おもり１に対し、ライン７を伝送路として超音波信号の送受波を行うことによりライン７の距離を求め、同様にモニタ表示する。なお、該図では仕掛けの放出場所を突堤９としたが、投げ釣りの行える場所であれば岸や船上など、どのような場所であっても構わない。【００１５】  図２は本発明の魚群探知システムで使用する探知機能付おもりの外形図である。仕掛けとしての探知機能付おもり１は、おもり部２と胴部３及び天秤４、５にて構成され、一つの天秤４の先端にある係止穴６にライン７が結ばれる。従来おもりの材料は鉛が主流であるが、タングステンなど比重の大きな材料を用いれば、おもり部２が小さく済む分胴部３の容積が大きく取れて好適となる。【００１６】  図３は本発明の探知機能付おもりを構成する探知部のブロック図である。探知機能付おもり１の胴部３には、魚群探知を行うための第一の超音波送受波手段と、水温検出を行うための温度検出手段と、ライン７を伝送路として情報通信を行うための第二の超音波送受波手段と、前記各手段の制御を行うための制御手段と、前記各手段を駆動するための電源供給手段とを内蔵する。【００１７】  上記魚群探知を行うための第一の超音波送受波手段は、制御部１３から出力される探知用のデジタル信号をＤ／Ａ変換器１４にてアナログ信号に変換し、発振器１５より超音波２５として水中に発射する。該超音波２５は魚群１２に当たって反射し、反射波２６として受信器１６で受信されるとともにＡ／Ｄ変換器１７にてデジタル信号に変換され、制御部１３に入力される。該制御部１３では、前記超音波２５と反射波２６との時間計測処理を行うことにより、魚群１２までの距離から魚群情報が取得できる。該第一の超音波送受波手段を構成する発振器１５と受信器１６及びそれらに接続されるＤ／Ａ変換器１４とＡ／Ｄ変換器１７は、探知機能付おもり１の円周面の３６０°を一度に探知するためには複数組が必要となる。例えば１組の指向角度が１２０°であれば３組が必要となる。なお、超音波による魚群探知の原理は既知であるため省略する。【００１８】  水温検出を行うための温度検出手段は、温度センサ２３を胴部３に密着することにより、胴部３の外部周辺の温度情報が取得できる。なお、温度センサ２３にもＡ／Ｄ変換機能が必要であるが図中において省略した。【００１９】  ラインを伝送路として情報通信を行うための第二の超音波送受波手段は、前記の魚群情報や温度情報のデジタル信号をＤ／Ａ変換器１８にてアナログ信号に変換し、発振器１９より超音波信号として天秤４を経由し当該天秤４の係止穴６に結ばれたライン７に発射することにより行う。また、ライン７のロッド１１側に固定した情報表示装置２８より発射した超音波信号は受信器２０で受信されるとともにＡ／Ｄ変換器２１にてデジタル信号に変換され、制御部１３に入力される。【００２０】  上記制御部１３には、プログラムデータ及び取得した各種情報を保存するためのメモリ２２が接続され、上記各手段の制御を行う。また、上記各手段を駆動するための電源供給手段として充電部２４より回路電源を供給する。【００２１】  上記充電部２４は、電磁誘導を利用した非接触充電が可能な二次電池、例えばリチウムイオン電池などが好適である。充電方式を非接触充電にすることにより充電用の端子やスイッチなどが不要となるため、探知機能付おもり１のおもり部２と胴部３を密着固定することができ、水漏れを防止することが可能となる。【００２２】  図４は本発明の魚群探知システムで使用する情報表示装置とラインホルダを固定したロッドの状態図であり、図５は本発明の魚群探知システムで使用する情報表示装置のブロック図である。情報表示装置２８は、探知機能付おもり１と結ばれたライン７を伝送路として情報通信を行うための超音波送受波手段と、該超音波送受波手段より取得した情報の解析と結果のモニタ表示など制御を行うための制御手段と、前記各手段を駆動するための電源供給手段とを内蔵して構成し、ロッド１１の手元に固定する。また、前記ライン７を挟持して情報表示装置２８内の超音波送受波手段と超音波伝送を行わせるためのラインホルダ２９を当該情報表示装置２８の近傍に固定する。情報通信が終了し本来の釣りを行うときは、ライン７を当該ラインホルダ２９より外し、リール２７が自由に操作できる状態にして行う。【００２３】  上記探知機能付おもり１と結ばれたライン７を伝送路として情報伝送を行うための超音波送受波手段は、上記ラインホルダ２９にて挟持したライン７より伝送された超音波信号を受信器３２で受信するとともにＡ／Ｄ変換器３１にてデジタル信号に変換され、制御部３０に入力される。また、ライン７の距離計測を行うためのデジタル信号が制御部３０より出力され、Ｄ／Ａ変換器３４にてアナログ信号に変換されて発振器３３より超音波信号としてラインホルダ２９に挟持されたライン７を伝送路として探知機能付おもり１に送信される。【００２４】  上記制御部３０には、プログラムデータ及び取得した各種情報を保存するためのメモリ３５と当該情報を表示するためのモニタ３６が接続され、上記各手段の制御を行う。また、上記各手段を駆動するための電源供給手段として電源部３７より回路電源を供給する。【００２５】  上記距離計測用の超音波信号はライン７を伝送し、更に探知機能付おもり１の天秤４を経由して受信器２０で受信される。制御部１３では当該距離計測用の信号を検出すると即座に発振器１９より反射信号を送波する。該反射信号は同様にライン７を伝送し、情報表示装置２８内の受信器３２で受信される。そこで、該距離計測用の超音波信号の送信と受信との時間計測処理を行うことにより、ロッド１１から探知機能付おもり１までの距離、すなわちライン７の距離が取得できる。【００２６】  なお、上記探知機能付おもり１の胴部３に内蔵した第一の超音波送受波手段を構成する発振器１５及び受信器１６と、第二の超音波送受波手段を構成する発振器１９及び受信器２０と、情報表示装置２８に内蔵した超音波送受波手段を構成する受信器３２及び発振器３３は個々にセラミック圧電素子を用いるが、各超音波送受波手段においてスイッチングすることにより１つのセラミック圧電素子を共用使用することも可能である。【００２７】  ライン７の素材はナイロンを基本とし、該ナイロンでの超音波の伝達速度は約２７００ｍ／秒である。また、水中での伝達速度は約１５００ｍ／秒で、空気中での伝達速度は約３４０ｍ／秒である。このため、伝達速度の違いによる判別もでき、水中や空気中に比べ速度が速い分減衰も少なくなるとともに、外来ノイズとの分解度も取りやすい。【００２８】  図６は情報表示装置で表示する画面例であり、（ａ）は魚群情報表示、（ｂ）は棚情報表示を表している。上述した方法にて得られた魚群情報は、（ａ）のように探知機能付おもり１のおもり位置３８を中心として水平方向にａからｅの位置に魚群があることを表示する。また、同様に得られた棚情報は、（ｂ）のように探知機能付おもり１のおもり位置３８を中心として垂直方向にａからｅの位置に棚があることを表示する。さらに、水温やライン７の長さなどの情報は数値表示する。以上のようにして、魚群や水温などの情報をロッド１１に固定した情報表示装置２８にてモニタ表示することができる。該システムは、探知機能付おもり１と情報表示装置２８のみで構成されるために安価であり、投げ釣りを行う釣り人にとって便利なシステムとなる。
【図面の簡単な説明】
【００２９】
【図１】本発明の魚群探知システムの使用状態を表した図である。
【図２】本発明の魚群探知システムで使用する探知機能付おもりの外形図である。
【図３】本発明の探知機能付おもりを構成する探知部のブロック図である。
【図４】本発明の魚群探知システムで使用する情報表示装置とラインホルダを固定したロッドの状態図である。
【図５】本発明の魚群探知システムで使用する情報表示装置のブロック図である。
【図６】情報表示装置で表示する画面例である。
【符号の説明】
【００３０】    １  探知機能付おもり
２  おもり部
３  胴部
４  天秤
５  天秤
６  係止穴
７  ライン
８  海中
９  突堤
１０  釣り人
１１  ロッド
１２  魚群
１３  制御部
１４  Ｄ／Ａ変換器
１５  発振器
１６  受信器
１７  Ａ／Ｄ変換器
１８  Ｄ／Ａ変換器
１９  発振器
２０  受信器
２１  Ａ／Ｄ変換器
２２  メモリ
２３  温度センサ
２４  充電部
２５  超音波
２６  反射波
２７  リール
２８  情報表示装置
２９  ラインホルダ
３０  制御部
３１  Ａ／Ｄ変換器
３２  受信器
３３  発振器
３４  Ｄ／Ａ変換器
３５  メモリ
３６  モニタ
３７  電源部
３８  おもり位置
【図１】
2016099335.tif 000003
【図２】
2016099335.tif 000004
【図３】
2016099335.tif 000005
【図４】
2016099335.tif 000006
【図５】
2016099335.tif 000007
【図６】
2016099335.tif 000008